(57)【要約】  ユーザ装置は、測定ギャップの開始タイミングを制御する。具体的には、ユーザ装置は、対象となるセルにおいて用いられている基準タイミングの種類に応じた測定ギャップの開始タイミングを適用する。
2020065897.tif 000002
【特許請求の範囲】
【請求項１】
測定ギャップの開始タイミングを制御する制御部を備え、
前記制御部は、対象となるセルにおいて用いられている基準タイミングの種類に応じた前記開始タイミングを適用するユーザ装置。
【請求項２】
前記制御部は、セル品質の測定の対象となる測定対象セルに用いられている前記基準タイミングの種類に応じた前記開始タイミングを適用する請求項１に記載のユーザ装置。
【請求項３】
前記制御部は、前記測定対象セルにおいて設定されている所定の測定方式の周期に応じた前記開始タイミングを適用する請求項２に記載のユーザ装置。
【請求項４】
前記制御部は、前記測定対象セルにおいて設定されているサブフレームの周期に応じた前記開始タイミングを適用する請求項２に記載のユーザ装置。
【請求項５】
前記制御部は、前記測定ギャップを指示する通信ノードにおいて用いられている前記基準タイミングの種類に応じた前記開始タイミングを適用する請求項１に記載のユーザ装置。
【発明の詳細な説明】
【技術分野】
【０００１】
本発明は、ユーザ装置に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）、或いはNext Generation（NG）などと呼ばれるLTEの後継システムの仕様が検討されている。【０００３】
NRでは、LTEと同様に、ユーザ装置（User Equipment, UE）が、無線周波数（RF）のチューニング（RF retuning）が必要な測定を実行する場合、RF retuningのために一切データ及び制御信号が送受信されない期間として、測定ギャップ（MG）を設定できる。【０００４】
また、SS/PBCH block (SSB)-based RRM Measurement Timing Configuration（SMTC）の開始タイミングと、MGの開始タイミングとが同一の場合、MGのRF retuningに要する時間とSMTCとが重複し、SMTCに従ったSSBを測定できない状態が発生し得る。そこで、MGの開始タイミングを前倒しする機能（Measurement Gap Timing Advance (MGTA)）が導入されている。【０００５】
MGTAによる前倒し時間の値としては、0ms（前倒ししない）、0.25ms及び0.5msが規定されている。また、E-UTRA-NR Dual Connectivity（EN-DC）におけるMGの開始タイミングの設定についても提案されている（非特許文献１参照）。
【先行技術文献】
【非特許文献】
【０００６】
【非特許文献１】”Way forward on UE behavior before or after measurement gap”, R4-1811869, 3GPP TSG-RAN WG4 Meeting #88, 3GPP, 2018年8月
【発明の概要】
【０００７】
しかしながら、MGTAに従ってMGの開始タイミングを前倒しする場合など、MGの開始タイミングを決定するために参照し得る基準タイミング（例えば、サブフレームを構成するスロットの境界）が存在しないケースが発生し得る。
【０００８】
例えば、EN-DCにおいて0.5msのMGTAが適用される場合、LTEのサブフレーム（1ms）の中間地点（0.5ms）からMGが開始することとなるが、NRのサブキャリア間隔（例えば、15kHz）によっては、UEは、前倒しされたMGの開始タイミングを決定するために参照し得る基準タイミングを得ることができない。
【０００９】
このため、UEにおけるMGの開始タイミングを適切に決定できない、もしくはMGの開始タイミング精度が低下することが懸念される。
【００１０】
そこで、本発明は、このような状況に鑑みてなされたものであり、測定ギャップ（MG）の開始タイミングが異なる場合でも、MGの開始タイミング精度を維持し得るユーザ装置の提供を目的とする。
【００１１】
本発明の一態様は、ユーザ装置（UE200）であって、測定ギャップの開始タイミングを制御する制御部（制御部230）を備え、前記制御部は、対象となるセルにおいて用いられている基準タイミングの種類に応じた前記開始タイミングを適用する。
【図面の簡単な説明】
【００１２】
【図１】図１は、無線通信システム10の全体概略構成図である。
【図２】図２は、UE200の機能ブロック構成図である。
【図３】図３は、MGTAの動作概略図である。
【図４】図４は、MGTAの適用時におけるMGの開始タイミングと、対象となるセルにおいて用いられている基準タイミングとの関係例を示す図である。
【図５】図５は、動作例１及び動作例２に基づくMGの開始タイミングの例を示す図である。
【図６】図６は、OFDMシンボルの構成例を示す図である。
【図７】図７は、UE200のハードウェア構成の一例を示す図である。
【発明を実施するための形態】
【００１３】
以下、実施形態を図面に基づいて説明する。なお、同一の機能や構成には、同一または類似の符号を付して、その説明を適宜省略する。
【００１４】
（１）無線通信システムの全体概略構成
図１は、本実施形態に係る無線通信システム10の全体概略構成図である。無線通信システム10は、Long Term Evolution（LTE）及び5G New Radio（NR）に従った無線通信システムであり、無線基地局100（以下、eNB100）、無線基地局110（以下、gNB110）及びユーザ装置200（以下、UE200）を含む。なお、gNB及びUEの数を含む無線通信システム10の具体的な構成は、図１に示した例に限定されない。
【００１５】
eNB100は、LTEに従った無線基地局であり、一つまたは複数のセルを形成する。gNB110は、5Gに従った無線基地局であり、一つまたは複数のセルを形成する。当該セルによってMaster Cell Group（MCG）及びSecondary Cell Group（SCG）を構成できる。
【００１６】
eNB100とUE200とは、一つまたは複数のキャリアを用いて、LTEに従った無線通信を実行する。また、gNB110とUE200とは、一つまたは複数のキャリアを用いて、5Gに従った無線通信を実行する。
【００１７】
eNB100、gNB110及びUE200は、複数のアンテナ素子から送信される無線信号を制御することによって、より指向性の高いビームを生成するMassive MIMO、複数のコンポーネントキャリア（CC）を用いるキャリアアグリゲーション（CA）、及び複数のNG-RAN NodeとUEとの間においてコンポーネントキャリアを同時送信するデュアルコネクティビティ（DC）などに対応することができる。
【００１８】
（２）無線通信システムの機能ブロック構成
次に、無線通信システム10の機能ブロック構成について説明する。具体的には、UE200の機能ブロック構成について説明する。
【００１９】
図２は、UE200の機能ブロック構成図である。図２に示すように、UE200は、送信部210、受信部220及び制御部230を備える。
【００２０】
送信部210は、NRに従った上りリンク信号（UL信号）を送信する。
【００２１】
受信部220は、NRに従った下りリンク信号（DL信号）を受信する。特に、本実施形態では、受信部220は、参照信号（RS）を受信する。具体的には、受信部220は、Radio Link Monitoring-RS（RLM-RS）などを受信する。
【００２２】
制御部230は、送信部210によって送信されるUL信号、及び受信部220によって受信されるDL信号に関する制御を実行する。
【００２３】
また、本実施形態では、制御部230は、eNB100またはgNB110から送信されるキャリア（ビーム）に関する測定を実行する。具体的には、制御部230は、測定ギャップを利用してセル品質の測定を実行する。
【００２４】
測定ギャップ（MG）とは、所望する無線周波数（RF）の品質などの測定のために、一切のデータ及び制御信号が送受信されない期間と理解される。一例として、無線周波数（RF）のチューニング（RF retuning）のために一切のデータ及び制御信号が送受信されない期間である。具体的には、MGでは、データ（Physical Downlink Shared Channel (PDSCH)及びPhysical Uplink Shared Channel (PUSCH)）及び制御信号（Physical Downlink Control Channel (PDCCH)及びPhysical Uplink Control Channel (PUCCH)）が送受信されない。
【００２５】
また、制御部230は、SS/PBCH block (SSB)-based RRM Measurement Timing Configuration（SMTC）に従った測定を実行する。さらに、本実施形態では、制御部230は、MGの開始タイミングを前倒しする機能、具体的には、MGTAに対応している。MGTAに基づく動作については、さらに後述する。
【００２６】
制御部230は、MGの開始タイミングを制御する。具体的には、制御部230は、対象となるセルにおいて用いられている基準タイミングの種類に応じたMGの開始タイミングを適用する。
【００２７】
より具体的には、制御部230は、セル品質の測定の対象となる測定対象セルに用いられている基準タイミングの種類に応じたMGの開始タイミングを適用する。基準タイミングは、当該測定対象セルのサブフレーム周期（1ms）、或いは当該サブフレームを構成するスロット（例えば、0.25ms, 0.5ms）から導き出される。スロットは、単位時間またはTTIと呼ばれてもよい。
【００２８】
すなわち、制御部230は、当該スロットの境界に合わせるようにMGの開始タイミングを決定できる。
【００２９】
また、制御部230は、測定対象セルにおいて設定されているSMTC（所定の測定方式）の周期に応じたMGの開始タイミングを適用することもできる。具体的には、制御部230は、測定したいFrequency Range 2（FR2）のセル向けに設定されたSMTCウィンドウの開始タイミングにMGの開始タイミングを合わせる。
【００３０】
さらに、制御部230は、測定対象セルにおいて設定されているサブフレームの周期に応じた開始タイミングを適用してもよい。特に、測定対象セルがLTEの場合、このような方法を適用することが好ましい。
【００３１】
或いは、制御部230は、MGを指示する通信ノードにおいて用いられている基準タイミングの種類に応じた開始タイミングを適用することもできる。具体的には、制御部230は、EN-DC実行時におけるPer-FR gap for FR2（詳細については後述）など、MGを指示する通信ノードであるSecondary Node（SN）から設定されるMGに関しては、SCG側の基準タイミング（スロット境界）に合わせる。本実施形態では、EN-DC実行時におけるgNB110がSNに該当する。
【００３２】
（３）無線通信システムの動作
次に、無線通信システム10の動作について説明する。具体的には、UE200によるMGの開始タイミングの決定動作について説明する。
【００３３】
（３．１）MGTAの概要及び従来のMGの開始タイミング例
まず、図３及び図４を参照して、MGTAの概要、及び従来のMGの開始タイミング例について説明する。
【００３４】
図３は、MGTAの動作概略図である。具体的には、図３は、SMTC（図中のSSB、左傾斜線部分）の開始タイミング、及びMG（右傾斜線部分）の開始タイミングを示す。図３では、MGが4msである例を示す。
【００３５】
図３の上側では、MGの開始タイミングと、SMTCの開始タイミングとが一致しており、つまり、同時であり、MGとSMTCとが時間軸上において重複している。このような場合、MGの開始タイミングと、SMTCの開始タイミングとのが同じであるため、MGのRF retuning時間がSMTCの時間と被り、SMTC内のSSBを測定できないケースが発生し得る。
【００３６】
図３の下側では、このようなMGとSMTCとの重複を回避するため、MGの開始タイミングを時間的に前方にずらす、つまり、前倒しするMGTAが導入されている。
【００３７】
MGTAの値（前倒し時間）は、0ms/0.25ms/0.5msの３種類である。具体的には、0msはMGを前方にずらさないことを意味する。0.5msは、Frequency Range 1（FR1）を含む場合に用いられる。0.25msは、測定対象セルがFR2のみの場合に用いられる（Per-FR gap for FR2の場合のみ）。
【００３８】
また、MGとしては、以下の２種類が規定されている。
【００３９】
・Per-UE gap（LTEのMGと同様）
・Per-FR gap
Per-UE gapでは、測定対象セルの周波数帯に関係なく、UE200に設定できるMGは１つのみである。また、MG中はデータの送受信が不可である。
【００４０】
Per-FR gapでは、LTE及びNRのFR1測定向け、及びNRのFR2測定向けのそれぞれに対して、異なるMGを設定できる。例えば、NRのFR2測定向けにMGが適用されている間、LTE及びNRのFR1での通信は継続できる。
【００４１】
NRでは、MGの開始タイミングについて幾つかの内容が提案されている（例えば、上述した非特許文献１）。
【００４２】
例えば、EN-DC実行時では、Per-UE gapであって、MGTAが0msの場合、MCG側（LTE）の基準タイミングに合わせることが提案されている。具体的には、LTE側のサブフレーム境界に合わせてMGを開始することが提案されている。また、EN-DC実行時では、NRのFR1測定向けのPer-FR gapであって、MGTAが0msの場合、MCG側（LTE）の基準タイミングに合わせることも提案されている。
【００４３】
一方、以下のようなケースでは、MGの開始タイミングの決定方法が明確ではない。
【００４４】
・EN-DC実行時であって、NRのFR2測定向けのPer-FR gapの適用時
・デュアルコネクティビティではないスタンドアロン（SA）運用時
・MGTAの適用時
図４は、MGTAの適用時におけるMGの開始タイミングと、対象となるセルにおいて用いられている基準タイミングとの関係例を示す。図４において、横長の長方形それぞれは、サブフレームまたはスロットを示す。
【００４５】
図４に示すように、特に、EN-DC実行時において、MGTAを適用した場合、LTE のサブフレームの中間（0.5ms経過時点）であるタイミングT1からMGが開始することになる。
【００４６】
しかしながら、対象となるセルがNRのセルであり、15kHzのサブキャリア間隔（SCS）である場合、UE200は、タイミングT1において参照可能な基準タイミング（スロットの境界）が存在しない（他のサブキャリア間隔の場合は、タイミングT1において参照可能な基準タイミングが存在する）。
【００４７】
このため、NRのセルの測定であるにも関わらず、全てのMGをLTE側の基準タイミング（サブフレーム）に合わせると、UE200のスペックなどによっては、意図しない、言い換えれば精度の低いタイミングにおいて、MGを開始する可能性がある。これにより、UE200におけるMGの開始タイミング精度が低下し、結果的に無線通信システム10全体としての品質が低下する可能性がある。
【００４８】
（３．２）動作例
次に、上述したような課題を解消するUE200の動作例について説明する。UE200は、上述したような課題を解消するため、MGの開始タイミングを適切に設定し、ネットワーク側が意図したタイミングにおいて、正確な周辺セルの品質を測定する。
【００４９】
具体的には、UE200は、セル品質の測定の対象となる測定対象セルに応じたMGの開始タイミングを決定することができる（動作例１）。
【００５０】
また、UE200は、MGを指示する通信ノード（SN）において用いられている基準タイミングの種類に基づいて、開始タイミングを決定することができる（動作例２）。
【００５１】
以下、各動作例について説明する。
【００５２】
（３．２．１）動作例１
本動作例では、測定対象セルに用いられている基準タイミングの種類に応じたMGの開始タイミングが適用される。
【００５３】
具体的には、EN-DC実行時におけるFR2向けのPer-FR gap（Per-FR gap for FR2）については、測定対象のFR2のセル向けに設定されたSMTCウィンドウの開始タイミング、或いは当該測定対象セル（NRのFR2が用いられたセル）のスロット境界に基づいて、MGの開始タイミングが決定される。
【００５４】
EN-DCが実行されていない場合（LTEのプライマリーセル（PCell）運用のみの場合）、測定対象のNRセル向けに設定されたSMTCウィンドウの開始タイミング、或いは当該NRセルのスロット境界に基づいて、MGの開始タイミングが決定される。
【００５５】
なお、基準タイミング（スロット境界）の情報がない場合、LTE eNBが測定対象のNRセルのSSB送信タイミングを取得するSFN and Frame timing difference measurement （SFTD measurement）の結果を用いてMGの開始タイミングが決定されてもよい。
【００５６】
また、MGTAが適用されている場合、SMTCの開始タイミングから１〜４スロット前方にシフトした位置をMGの開始タイミングとしてもよい。この場合、シフトするスロット数は、サブキャリア間隔（SCS）に応じて変更されることが好ましい。例えば、0.5msのMGTAが適用され、測定対象セル（NRセル）が30kHzスペーシングの場合は1スロット、測定対象セル（NRセル）が60kHzスペーシングの場合は2スロットとすることができる。
【００５７】
なお、デュアルコネクティビティではないスタンドアロン（SA）運用時については、EN-DCが実行されていない場合と同様に動作してもよい。また、測定対象セルがLTEのセルである場合、LTEのサブフレーム（1ms）に合わせて、MGの開始タイミングが決定されてもよい。
【００５８】
図５は、動作例１及び動作例２に基づくMGの開始タイミングの例を示す。具体的には、図５では、EN-DC実行時におけるNR側でのMGの開始タイミングが示されている。
【００５９】
MGTAが適用されておらず、30kHzスペーシングの場合、MGの開始タイミング（図中のP10参照）は、LTEのサブフレームに合わせられる。このケースでは、MGが4ms、SMTCウィンドウが2msである。
【００６０】
MGTAが適用されており、30kHzスペーシングの場合、MGの開始タイミングは、NR向けに設定されたSMTCウィンドウの開始タイミング、或いは当該NRセルのスロット境界に基づいて決定される（図中のP20）。このケースでは、MGが4ms、SMTCウィンドウが3msである。
【００６１】
この場合（ここでは、MGTAが0.5ms）、当該MGTAに応じたスロット数（1スロット）前倒しした位置がMGの開始タイミングとされる。
【００６２】
なお、P10及びP20では、Per-UE gapまたはPer-FR gap for FR1が適用されているものとする。
【００６３】
MGTAが適用されており、120kHzスペーシングの場合も、MGの開始タイミングは、NR向けに設定されたSMTCウィンドウの開始タイミング、或いは当該NRセルのスロット境界に基づいて決定される（図中のP30）。このケースでは、MGが3.5ms、SMTCウィンドウが3msである。
【００６４】
この場合（ここでは、MGTAが0.25ms）、当該MGTAに応じたスロット数（2スロット）前倒しした位置がMGの開始タイミングとされる。
【００６５】
（３．２．２）動作例２
本動作例では、MGを指示する通信ノード（SN）において用いられている基準タイミングの種類に応じた開始タイミングが適用される。
【００６６】
具体的には、EN-DC実行時におけるPer-FR gap for FR2など、SNから設定されるMGについては、SCG側のセルの基準タイミング（スロット境界）にMGの開始タイミングが合わせられる。なお、EN-DC実行時におけるMNから設定されるMGについては、LTE側のタイミングにMGの開始タイミングが合わせられる。
【００６７】
また、動作例１と同様に、MGTAが適用されている場合、SMTCの開始タイミングから１〜４スロット前方にシフトした位置をMGの開始タイミングとしてもよい。
【００６８】
改めて、図５を参照して、動作例２に基づくMGの開始タイミングの例について説明する。以下、動作例１と異なる部分について説明する。
【００６９】
MGTAが適用されておらず、30kHzスペーシングの場合、MGの開始タイミング（図中のP10参照）は、LTEのサブフレームに合わせられる。当該動作は、動作例１と同様である。
【００７０】
MGTAが適用されており、30kHzスペーシングの場合であって、Master node（MN）からMGが指示される場合、MGの開始タイミングは、LTEのサブフレームに合わせられる（図中のP20）。
【００７１】
具体的には、MGTAが適用されていない場合、LTEのサブフレームのタイミングに基づいて、MGの開始タイミングを決定すればよい。一方、MGTAが適用されている場合、LTEのサブフレームのタイミングに基づいて、MGの開始タイミングを決定するが、当該開始タイミングからNRのセルにおいて用いられているサブキャリアのスペーシングに応じたスロット数（１〜４スロットの何れか）分、前倒しした位置をMGの開始タイミングとする。
【００７２】
この場合（ここでは、MGTAが0.5ms）、動作例１と同様に、当該MGTAに応じたスロット数（1スロット）前倒しした位置がMGの開始タイミングとされる。
【００７３】
なお、P10及びP20では、Per-UE gapまたはPer-FR gap for FR1が適用されているものとする。
【００７４】
MGTAが適用されており、120kHzスペーシングの場合であって、SNからMGが指示される場合、MGの開始タイミングは、NR向けに設定されたSMTCウィンドウの開始タイミング、或いは当該NRセルのスロット境界に基づいて決定される（図中のP30）。
【００７５】
この場合（ここでは、MGTAが0.25ms）、当該MGTAに応じたスロット数（2スロット）前倒しした位置がMGの開始タイミングとされる。
【００７６】
なお、NRのセルにおいて適用されるサブキャリア間隔（SCS）が15kHzであって、MGTAが適用されている場合など、UE200が参照可能なフレーム境界またはスロット境界が存在しない場合、OFDMシンボルの境界を参照してもよい。
【００７７】
図６は、OFDMシンボルの構成例を示す。具体的には、図６は、14 OFDMシンボルの例を示す。SCSが15kHzスペーシングの場合、#6のシンボルと、#7のシンボルとの境界を基準タイミングとして用いてもよい。
【００７８】
（４）作用・効果
上述した実施形態によれば、以下の作用効果が得られる。具体的には、UE200は、対象となるセルにおいて用いられている基準タイミングの種類に応じたMGの開始タイミングを適用する。このため、MGの開始タイミングを決定するために参照し得る基準タイミングが参照できない状態を確実に回避できる。これにより、UE200におけるMGの開始タイミング精度が低下することを防止できる。
【００７９】
すなわち、UE200によれば、測定ギャップ（MG）の開始タイミングが異なる場合でも、MGの開始タイミング精度を維持し得る。
【００８０】
本実施形態では、UE200は、セル品質の測定の対象となる測定対象セルに用いられている基準タイミングの種類に応じたMGの開始タイミングを適用できる。また、本実施形態では、測定対象セルにおいて設定されているSMTC（所定の測定方式）の周期、或いは測定対象セルにおいて設定されているサブフレームの周期に応じたMGの開始タイミングを適用できる。
【００８１】
このため、測定対象セルの種別に関わらず、MGの開始タイミングを決定するために参照し得る基準タイミングが参照できない状態を回避できる。これにより、UE200におけるMGの開始タイミング精度が低下することをさらに確実に防止できる。
【００８２】
本実施形態では、UE200は、MGを指示する通信ノード（SNなど）において用いられている基準タイミングの種類に応じた開始タイミングを適用できる。
【００８３】
このため、MGを指示する通信ノードの種別に関わらず、MGの開始タイミングを決定するために参照し得る基準タイミングが参照できない状態を回避できる。これにより、UE200におけるMGの開始タイミング精度が低下することをさらに確実に防止できる。
【００８４】
（５）その他の実施形態
以上、実施例に沿って本発明の内容を説明したが、本発明はこれらの記載に限定されるものではなく、種々の変形及び改良が可能であることは、当業者には自明である。
【００８５】
具体的には、上述した実施形態において説明した動作例１及び動作例２は、組み合わせてもよい。例えば、スタンドアロン運用時には動作例１を適用し、EN-DC実行時には動作例２を適用してもよい。
【００８６】
また、NRのセル向けにSMTCが設定されていない場合、当該NRのセルにおいて用いられているフレームのタイミングまたはサブフレームのタイミングにMGの開始タイミングを合わせるようにしてもよい。
【００８７】
また、上述した実施形態の説明に用いたブロック構成図（図２）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（例えば、有線、無線などを用いて）接続し、これら複数の装置を用いて実現されてもよい。機能ブロックは、上記１つの装置または上記複数の装置にソフトウェアを組み合わせて実現されてもよい。
【００８８】
機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting unit）や送信機（transmitter）と呼称される。何れも、上述したとおり、実現方法は特に限定されない。
【００８９】
さらに、上述したUE200は、本開示の無線通信方法の処理を行うコンピュータとして機能してもよい。図７は、UE200のハードウェア構成の一例を示す図である。図７に示すように、当該装置は、プロセッサ1001、メモリ1002、ストレージ1003、通信装置1004、入力装置1005、出力装置1006及びバス1007などを含むコンピュータ装置として構成されてもよい。
【００９０】
なお、以下の説明では、「装置」という文言は、回路、デバイス、ユニットなどに読み替えることができる。当該装置のハードウェア構成は、図に示した各装置を１つまたは複数含むように構成されてもよいし、一部の装置を含まずに構成されてもよい。
【００９１】
当該装置の各機能ブロックは、当該コンピュータ装置の何れかのハードウェア要素、または当該ハードウェア要素の組み合わせによって実現される。
【００９２】
また、当該装置における各機能は、プロセッサ1001、メモリ1002などのハードウェア上に所定のソフトウェア（プログラム）を読み込ませることによって、プロセッサ1001が演算を行い、通信装置1004による通信を制御したり、メモリ1002及びストレージ1003におけるデータの読み出し及び書き込みの少なくとも一方を制御したりすることによって実現される。
【００９３】
プロセッサ1001は、例えば、オペレーティングシステムを動作させてコンピュータ全体を制御する。プロセッサ1001は、周辺装置とのインターフェース、制御装置、演算装置、レジスタなどを含む中央処理装置（CPU）によって構成されてもよい。
【００９４】
また、プロセッサ1001は、プログラム（プログラムコード）、ソフトウェアモジュール、データなどを、ストレージ1003及び通信装置1004の少なくとも一方からメモリ1002に読み出し、これらに従って各種の処理を実行する。プログラムとしては、上述の実施の形態において説明した動作の少なくとも一部をコンピュータに実行させるプログラムが用いられる。さらに、上述の各種処理は、１つのプロセッサ1001によって実行されてもよいし、２つ以上のプロセッサ1001により同時または逐次に実行されてもよい。プロセッサ1001は、１以上のチップによって実装されてもよい。なお、プログラムは、電気通信回線を介してネットワークから送信されてもよい。
【００９５】
メモリ1002は、コンピュータ読み取り可能な記録媒体であり、例えば、Read Only Memory（ROM）、Erasable Programmable ROM（EPROM）、Electrically Erasable Programmable ROM（EEPROM）、Random Access Memory（RAM）などの少なくとも１つによって構成されてもよい。メモリ1002は、レジスタ、キャッシュ、メインメモリ（主記憶装置）などと呼ばれてもよい。メモリ1002は、本開示の一実施形態に係る方法を実行可能なプログラム（プログラムコード）、ソフトウェアモジュールなどを保存することができる。
【００９６】
ストレージ1003は、コンピュータ読み取り可能な記録媒体であり、例えば、Compact Disc ROM（CD-ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ1003は、補助記憶装置と呼ばれてもよい。上述の記録媒体は、例えば、メモリ1002及びストレージ1003の少なくとも一方を含むデータベース、サーバその他の適切な媒体であってもよい。
【００９７】
通信装置1004は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。
【００９８】
通信装置1004は、例えば周波数分割複信（Frequency Division Duplex：FDD）及び時分割複信（Time Division Duplex：TDD）の少なくとも一方を実現するために、高周波スイッチ、デュプレクサ、フィルタ、周波数シンセサイザなどを含んで構成されてもよい。
【００９９】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１００】
また、プロセッサ1001及びメモリ1002などの各装置は、情報を通信するためのバス1007で接続される。バス1007は、単一のバスを用いて構成されてもよいし、装置間毎に異なるバスを用いて構成されてもよい。
【０１０１】
さらに、当該装置は、マイクロプロセッサ、デジタル信号プロセッサ（Digital Signal Processor： DSP）、Application Specific Integrated Circuit（ASIC）、Programmable Logic Device（PLD）、Field Programmable Gate Array（FPGA）などのハードウェアを含んで構成されてもよく、当該ハードウェアにより、各機能ブロックの一部または全てが実現されてもよい。例えば、プロセッサ1001は、これらのハードウェアの少なくとも１つを用いて実装されてもよい。
【０１０２】
また、情報の通知は、本開示において説明した態様／実施形態に限られず、他の方法を用いて行われてもよい。例えば、情報の通知は、物理レイヤシグナリング（例えば、Downlink Control Information（DCI）、Uplink Control Information（UCI）、上位レイヤシグナリング（例えば、RRCシグナリング、Medium Access Control（MAC）シグナリング、報知情報（Master Information Block（MIB）、System Information Block（SIB））、その他の信号またはこれらの組み合わせによって実施されてもよい。また、RRCシグナリングは、RRCメッセージと呼ばれてもよく、例えば、RRC接続セットアップ（RRC Connection Setup）メッセージ、RRC接続再構成（RRC Connection Reconfiguration）メッセージなどであってもよい。
【０１０３】
本開示において説明した各態様／実施形態は、Long Term Evolution（LTE）、LTE-Advanced（LTE-A）、SUPER 3G、IMT-Advanced、4th generation mobile communication system（4G）、5th generation mobile communication system（5G）、Future Radio Access（FRA）、New Radio（NR）、W-CDMA（登録商標）、GSM（登録商標）、CDMA2000、Ultra Mobile Broadband（UMB）、IEEE 802.11（Wi-Fi（登録商標））、IEEE 802.16（WiMAX（登録商標））、IEEE 802.20、Ultra-WideBand（UWB）、Bluetooth（登録商標）、その他の適切なシステムを利用するシステム及びこれらに基づいて拡張された次世代システムの少なくとも一つに適用されてもよい。また、複数のシステムが組み合わされて（例えば、LTE及びLTE-Aの少なくとも一方と5Gとの組み合わせなど）適用されてもよい。
【０１０４】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１０５】
本開示において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局及び基地局以外の他のネットワークノード（例えば、MMEまたはS-GWなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、MME及びS-GW）であってもよい。
【０１０６】
情報、信号（情報等）は、上位レイヤ（または下位レイヤ）から下位レイヤ（または上位レイヤ）へ出力され得る。複数のネットワークノードを介して入出力されてもよい。
【０１０７】
入出力された情報は、特定の場所（例えば、メモリ）に保存されてもよいし、管理テーブルを用いて管理してもよい。入出力される情報は、上書き、更新、または追記され得る。出力された情報は削除されてもよい。入力された情報は他の装置へ送信されてもよい。
【０１０８】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１０９】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１１１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital Subscriber Line：DSL）など）及び無線技術（赤外線、マイクロ波など）の少なくとも一方を使用してウェブサイト、サーバ、または他のリモートソースから送信される場合、これらの有線技術及び無線技術の少なくとも一方は、伝送媒体の定義内に含まれる。
【０１１２】
本開示において説明した情報、信号などは、様々な異なる技術の何れかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【０１１３】
なお、本開示において説明した用語及び本開示の理解に必要な用語については、同一のまたは類似する意味を有する用語と置き換えてもよい。例えば、チャネル及びシンボルの少なくとも一方は信号（シグナリング）であってもよい。また、信号はメッセージであってもよい。また、コンポーネントキャリア（Component Carrier：CC）は、キャリア周波数、セル、周波数キャリアなどと呼ばれてもよい。
【０１１４】
本開示において使用する「システム」及び「ネットワーク」という用語は、互換的に使用される。
【０１１５】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１１６】
上述したパラメータに使用する名称はいかなる点においても限定的な名称ではない。さらに、これらのパラメータを使用する数式等は、本開示で明示的に開示したものと異なる場合もある。様々なチャネル（例えば、PUCCH、PDCCHなど）及び情報要素は、あらゆる好適な名称によって識別できるため、これらの様々なチャネル及び情報要素に割り当てている様々な名称は、いかなる点においても限定的な名称ではない。
【０１１７】
本開示においては、「基地局（Base Station：BS）」、「無線基地局」、「固定局（fixed station）」、「NodeB」、「eNodeB（eNB）」、「gNodeB（gNB）」、「アクセスポイント（access point）」、「送信ポイント（transmission point）」、「受信ポイント（reception point）、「送受信ポイント（transmission/reception point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１１８】
基地局は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote Radio Head：RRH）によって通信サービスを提供することもできる。
【０１１９】
「セル」または「セクタ」という用語は、このカバレッジにおいて通信サービスを行う基地局、及び基地局サブシステムの少なくとも一方のカバレッジエリアの一部または全体を指す。
【０１２０】
本開示においては、「移動局（Mobile Station：MS）」、「ユーザ端末（user  terminal）」、「ユーザ装置（User Equipment：UE）」、「端末」などの用語は、互換的に使用され得る。
【０１２１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型または無人型）であってもよい。なお、基地局及び移動局の少なくとも一方は、必ずしも通信動作時に移動しない装置も含む。例えば、基地局及び移動局の少なくとも一方は、センサなどのInternet of Things（IoT）機器であってもよい。
【０１２３】
また、本開示における基地局は、移動局（ユーザ端末、以下同）として読み替えてもよい。例えば、基地局及び移動局間の通信を、複数の移動局間の通信（例えば、Device-to-Device（D2D）、Vehicle-to-Everything（V2X）などと呼ばれてもよい）に置き換えた構成について、本開示の各態様／実施形態を適用してもよい。この場合、基地局が有する機能を移動局が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１２４】
同様に、本開示における移動局は、基地局として読み替えてもよい。この場合、移動局が有する機能を基地局が有する構成としてもよい。
【０１２５】
「接続された（connected）」、「結合された(coupled)」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、或いはこれらの組み合わせであってもよい。例えば、「接続」は「アクセス」で読み替えられてもよい。本開示で使用する場合、２つの要素は、１またはそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」または「結合」されると考えることができる。
【０１２６】
参照信号は、Reference Signal（RS）と略称することもでき、適用される標準によってパイロット（Pilot）と呼ばれてもよい。
【０１２７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２８】
本開示において使用する「第１」、「第２」などの呼称を使用した要素へのいかなる参照も、それらの要素の量または順序を全般的に限定しない。これらの呼称は、２つ以上の要素間を区別する便利な方法として本開示において使用され得る。したがって、第１及び第２の要素への参照は、２つの要素のみがそこで採用され得ること、または何らかの形で第１の要素が第２の要素に先行しなければならないことを意味しない。
【０１２９】
本開示において、「含む（include）」、「含んでいる（including）」及びそれらの変形が使用されている場合、これらの用語は、用語「備える（comprising）」と同様に、包括的であることが意図される。さらに、本開示において使用されている用語「または（or）」は、排他的論理和ではないことが意図される。
【０１３０】
本開示において、例えば、英語でのa, an及びtheのように、翻訳により冠詞が追加された場合、本開示は、これらの冠詞の後に続く名詞が複数形であることを含んでもよい。
【０１３１】
本開示において、「AとBが異なる」という用語は、「AとBが互いに異なる」ことを意味してもよい。なお、当該用語は、「AとBがそれぞれCと異なる」ことを意味してもよい。「離れる」、「結合される」などの用語も、「異なる」と同様に解釈されてもよい。
【０１３２】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１３３】
10  無線通信システム
100  eNB
110  gNB
200  UE
210  送信部
220  受信部
230  制御部
1001  プロセッサ
1002  メモリ
1003  ストレージ
1004  通信装置
1005  入力装置
1006  出力装置
1007  バス
【図１】
2020065897.tif 000003
【図２】
2020065897.tif 000004
【図３】
2020065897.tif 000005
【図４】
2020065897.tif 000006
【図５】
2020065897.tif 000007
【図６】
2020065897.tif 000008
【図７】
2020065897.tif 000009
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
Ｄｕａｌ  Ｃｏｎｎｅｃｔｉｖｉｔｙ（ＤＣ）の測定ギャップの開始タイミングを制御する制御部を備え、
前記制御部は、周波数レンジ２向けの場合に、セカンダリノードから設定される前記測定ギャップについて、セカンダリーセルグループ側のセルにおいて設定されているサブフレームのタイミングに前記開始タイミングを合わせ、
前記開始タイミングにおいて前記測定ギャップを開始する端末。
【請求項２】
前記制御部は、前記測定ギャップの開始タイミングを前倒しする請求項１に記載の端末。
【国際調査報告】
2020065897.tif 000010
2020065897.tif 000011
2020065897.tif 000012
2020065897.tif 000013